(57)【要約】【課題】印刷装置において、搬送ベルトの吸引力を向上させる。【解決手段】印刷装置は、用紙Ｐの表面及び／又は裏面に印刷する印刷手段と、湾曲表面７３１ａに沿って用紙Ｐを吸引しながら搬送する吸引搬送手段７３とを備える。吸引搬送手段７３が、表面に複数の孔７３ｂ’が設けられ湾曲して移動する環状の搬送ベルト７３ｂと、搬送ベルト７３ｂの裏側に、少なくとも用紙Ｐの搬送方向に複数設けられた複数の孔７３ｂ’に吸引力を発生させる吸引室Ｒ１、吸引室Ｒ２とを備える。【選択図】図３
2010241512.tif 000002
【特許請求の範囲】
【請求項１】
用紙を吸引しながら湾曲搬送経路に沿って搬送する用紙吸引湾曲搬送装置において、
表面及び裏面間を貫通した複数の孔が設けられた、前記湾曲搬送経路に沿って循環移動する環状の搬送ベルトと、
該搬送ベルトの前記湾曲搬送経路に沿って移動する湾曲移動部分の裏面に面する、前記用紙の搬送方向において異なる位置に複数設けられた、前記湾曲移動部分の孔に吸引力を発生させるための吸引室と、
該吸引室の空気を排出して前記湾曲移動部分の孔に吸引力を発生させる空気排出手段とを備えていることを特徴とする用紙吸引湾曲搬送装置。
【請求項２】
前記搬送方向の上流側の吸引室に面する前記孔の吸引力が前記搬送方向の下流側の吸引室に面する前記孔の吸引力よりも大であることを特徴とする請求項１に記載の用紙吸引湾曲搬送装置。
【請求項３】
複数の前記吸引室を互いに連通させる連通孔を備え、
前記空気排出手段が、前記連通している複数の吸引室のうちの１つの吸引室から空気を排出することにより該１つの吸引室に連通している他の吸引室の空気をも排出するものであることを特徴とする請求項１又は２に記載の用紙吸引湾曲搬送装置。
【請求項４】
前記搬送ベルトが前記搬送方向に対して直交する方向に並んで３つ設けられ、
該３つの搬送ベルトのうちの中央に位置する中央搬送ベルトの前記湾曲移動部分の裏面に面する吸引室が、該中央搬送ベルト専用の独立した吸引室であることを特徴とする請求項１〜３のいずれか１項に記載の用紙吸引湾曲搬送装置。
【請求項５】
前記中央搬送ベルトの前記搬送方向上流側に設けられた、前記湾曲搬送経路に沿った湾曲表面を有する、表面及び裏面間を貫通する開口部が形成されたガイド部材と、
該ガイド部材の裏面に面する、該ガイド部材専用の独立した空気吸引室と、
該吸引室内の空気を排出して前記開口部に吸引力を発生させる空気排出手段とを備えていることを特徴とする請求項４に記載の用紙吸引湾曲搬送装置。
【請求項６】
用紙に印刷を行う印刷手段と、
用紙を吸引しながら湾曲搬送経路に沿って搬送する用紙吸引湾曲搬送手段とを備えた印刷装置において、
前記用紙吸引湾曲搬送手段が、
表面及び裏面間を貫通した複数の孔が設けられた、前記湾曲搬送経路に沿って循環移動する環状の搬送ベルトと、
該搬送ベルトの前記湾曲搬送経路に沿って移動する湾曲移動部分の裏面に面する、前記用紙の搬送方向において異なる位置に複数設けられた、前記湾曲移動部分の孔に吸引力を発生させるための吸引室と、
該吸引室の空気を排出して前記湾曲移動部分の孔に吸引力を発生させる空気排出手段とを備えていることを特徴とする印刷装置。
【発明の詳細な説明】
【技術分野】
【０００１】
本発明は、用紙を湾曲搬送経路に沿って吸引しながら搬送する用紙吸引湾曲搬送装置及び該搬送装置を備えた印刷装置に関するものである。
【背景技術】
【０００２】
近年、用紙の表面及び裏面の双方に印刷する両面印刷が行われている。両面印刷を行う両面印刷装置としては、例えば孔版印刷を行う両面孔版印刷装置が提案されており、この装置の一例として、例えば穿孔製版された孔版原紙を外周面に巻装した円筒状の２つの印刷ドラムを隣接して配設し、一方の印刷ドラムで用紙の表面に印刷を行い、表面が印刷された用紙を他方の印刷ドラムに搬送して該印刷ドラムで用紙の裏面に印刷を行う装置がある。このような両面印刷装置には、一方の印刷ドラムで表面を印刷した後に、用紙を反転させてから他方の印刷ドラムで裏面を印刷するものがある。
【０００３】
用紙を反転させる用紙反転機構としては、表面に複数の孔が設けられた環状の搬送ベルトにより用紙を吸引しながら湾曲搬送経路に沿って湾曲搬送して、前記一方の印刷ドラムよりも下方に設けられたインクを乾燥させるための用紙貯留部に向かわせるものがある（特許文献１）。
【先行技術文献】
【特許文献】
【０００４】
【特許文献１】特開２００５−２９３７５号公報
【発明の概要】
【発明が解決しようとする課題】
【０００５】
しかしながら、特許文献１に記載のような従来の用紙反転機構では、図７に示す如く、搬送ベルト７３ｂの表面の孔７３ｂ’に吸引力を発生させるために、搬送ベルト７３ｂの湾曲搬送経路に沿って移動する湾曲移動部分Ｘの裏面に面する１つの吸引室Ｒを形成し、この１つの吸引室Ｒで湾曲移動部分Ｘの搬送方向全域にわたって吸引力を発生させるように構成されている。
【０００６】
そして、このように１つの吸引室Ｒで搬送ベルト７３ｂの湾曲移動部分Ｘの搬送方向全域にわたって吸引力を発生させる構成では、用紙Ｐが湾曲移動部分Ｘに吸着されて搬送される際、搬送当初用紙Ｐは湾曲移動部分Ｘの搬送方向Ｅの上流側の一部の領域にしか吸着されず、湾曲移動部分Ｘのそれ以外の領域は用紙Ｐが存在しないのでその領域の孔７３ｂ’は開口したままの状態となり、開口したままの孔７３ｂ’からの空気漏れが発生して吸引室Ｒ内の負圧を大きくすることができないので搬送当初は十分な吸引力を得ることができず、その結果、用紙Ｐの自重、こしの強さ等の用紙Ｐの種類によっては、用紙Ｐが搬送ベルト７３ｂに十分に吸引されず、用紙Ｐが搬送ベルト７３ｂから剥がれてしまうことにより用紙Ｐの搬送経路にて紙詰まりや、用紙Ｐの印刷面と搬送経路上の装置部品との接触による画像汚れ等が生じてしまう虞がある。
【０００７】
本発明はかかる事情に鑑みてなされたものであり、搬送ベルトの吸引力を向上させた用紙吸引湾曲搬送装置及び印刷装置を提供することを目的とするものである。
【課題を解決するための手段】
【０００８】
本発明の用紙吸引湾曲搬送装置は、用紙を吸引しながら湾曲搬送経路に沿って搬送する用紙吸引湾曲搬送装置において、
表面及び裏面間を貫通した複数の孔が設けられた、前記湾曲搬送経路に沿って循環移動する環状の搬送ベルトと、
該搬送ベルトの前記湾曲搬送経路に沿って移動する湾曲移動部分の裏面に面する、前記用紙の搬送方向において異なる位置に複数設けられた、前記湾曲移動部分の孔に吸引力を発生させるための吸引室と、
該吸引室の空気を排出して前記湾曲移動部分の孔に吸引力を発生させる空気排出手段とを備えていることを特徴とするものである。
【０００９】
上記湾曲搬送経路は、用紙吸引湾曲搬送装置及び用紙吸引湾曲搬送手段により現に用紙を吸引しながら搬送する経路を意味する。
【００１０】
上記吸引室は、厳密に密閉された室である必要はない。
【００１１】
なお、上記搬送ベルトは、上記湾曲搬送経路の始点から終点までの間に存在する必要があるが、その搬送ベルトは始点から終点まで連続した１つの搬送ベルトとして存在する必要はない。例えば、始点から途中までの間にもう１つの搬送ベルトを設ける態様であってもよい。この場合、例えば搬送方向上流側の搬送ベルトに対して１つの吸引室を、搬送方向下流側の搬送ベルトに対してもう１つの吸引室を設けることができる。
【００１２】
また本発明の用紙吸引湾曲搬送装置においては、前記搬送方向の上流側の吸引室に面する前記孔の吸引力が前記搬送方向の下流側の吸引室に面する前記孔の吸引力よりも大であることが好ましい。
【００１３】
上記吸引室に面する孔の吸引力の大小は、各吸引室に面する全ての孔が用紙により塞がれた状態における孔の吸引力の大小を意味する。
【００１４】
また本発明の用紙吸引湾曲搬送装置においては、複数の前記吸引室を互いに連通させる連通孔を備え、
前記空気排出手段が、前記連通している複数の吸引室のうちの１つの吸引室から空気を排出することにより該１つの吸引室に連通している他の吸引室の空気をも排出するものであることが好ましい。
【００１５】
また本発明の用紙吸引湾曲搬送装置においては、前記搬送ベルトが前記搬送方向に対して直交する方向に並んで３つ設けられ、
該３つの搬送ベルトのうちの中央に位置する中央搬送ベルトの前記湾曲移動部分の裏面に面する吸引室が、該中央搬送ベルト専用の独立した吸引室であることが好ましい。
【００１６】
また本発明の用紙吸引湾曲搬送装置においては、前記中央搬送ベルトの前記搬送方向上流側に設けられた、前記湾曲搬送経路に沿った湾曲表面を有する、表面及び裏面間を貫通する開口部が形成されたガイド部材と、
該ガイド部材の裏面に面する、該ガイド部材専用の独立した空気吸引室と、
該吸引室内の空気を排出して前記開口部に吸引力を発生させる空気排出手段とを備えていることが好ましい。
【００１７】
本発明の印刷装置は、用紙に印刷を行う印刷手段と、
用紙を吸引しながら湾曲搬送経路に沿って搬送する用紙吸引湾曲搬送手段とを備えた印刷装置において、
前記用紙吸引湾曲搬送手段が、
表面及び裏面間を貫通した複数の孔が設けられた、前記湾曲搬送経路に沿って循環移動する環状の搬送ベルトと、
該搬送ベルトの前記湾曲搬送経路に沿って移動する湾曲移動部分の裏面に面する、前記用紙の搬送方向において異なる位置に複数設けられた、前記湾曲移動部分の孔に吸引力を発生させるための吸引室と、
該吸引室の空気を排出して前記湾曲移動部分の孔に吸引力を発生させる空気排出手段とを備えていることを特徴とするものである。
【発明の効果】
【００１８】
本発明の用紙吸引湾曲搬送装置及び印刷装置によれば、搬送ベルトの湾曲移動部分の裏面に面する、搬送方向において異なる位置に設けられた複数の吸引室を介して、搬送ベルトの孔に吸引力を発生させるように構成されているので、用紙が搬送ベルトの湾曲移動部分に吸着されて搬送される際、搬送当初用紙は湾曲移動部分の搬送方向上流側の一部の領域にしか吸着されないが、その時用紙が吸着されている上流側の一部の領域に対する吸引室は用紙搬送方向上流側の吸引室であり、該吸引室が対面する搬送ベルトの領域は搬送ベルトの全域ではなく搬送ベルトの上流側の一部であるので、従来のように１つの吸引室で搬送ベルトの全域に吸引力を発生させるものに比して、吸引室に面してはいるが用紙が存在せず開口したままになっている孔の数が少なく、従って、それらの孔からの空気漏れによる吸引室の負圧低下を抑制することができ、搬送当初における吸引力の低下を防止することができる。これにより、自重が重い用紙やこしの強い用紙等であっても、搬送ベルトに十分に吸引することができるので、搬送ベルトから用紙が剥がれてしまったり、搬送経路における紙詰まり、用紙の印刷面と搬送経路の装置部品との接触による画像汚れ等の発生を防ぐことができる。
【００１９】
また複数の吸引室のうち、搬送方向の上流側の吸引室の吸引力を強くした場合には、この搬送方向上流側の吸引室が対面する搬送ベルトに搬送当初用紙を確実に吸着することができる。
【図面の簡単な説明】
【００２０】
【図１】両面孔版印刷装置の概略構成図
【図２】用紙吸引湾曲搬送手段の拡大斜視図
【図３】図２のＤ−Ｄ線断面図
【図４】第２の実施形態の用紙吸引湾曲搬送手段のＤ−Ｄ線断面図
【図５】第３の実施形態の用紙吸引湾曲搬送手段の拡大斜視図
【図６】図５を矢印Ｋから見た裏面拡大斜視図
【図７】従来の用紙吸引湾曲搬送手段のＤ−Ｄ線断面図
【発明を実施するための形態】
【００２１】
以下、本発明の一実施形態である両面孔版印刷装置１について、図面を参照して詳細に説明する。図１は本実施形態の両面孔版印刷装置１の概略構成図、図２は用紙吸引湾曲搬送手段（用紙吸引湾曲搬送装置）７３の拡大斜視図、図３は図２のＤ−Ｄ線断面図である。
【００２２】
本実施形態の両面孔版印刷装置１は、図１に示す如く、装置ハウジング１０と、装置ハウジング１０の一側面（図１中、左側面）に設けられ、印刷媒体である複数枚の用紙Ｐ１が積載された給紙台２と、給紙台２から給紙される用紙Ｐ１の一面Ａに印刷する第１の孔版印刷手段３と、一面Ａが印刷された用紙Ｐ２を複数枚貯留する貯留部４と、貯留部４に貯留されていた用紙Ｐ２の他面Ｂに印刷する第２の孔版印刷手段５と、装置ハウジング１０の他側面（図１中、右側面）に設けられ、両面すなわち一面Ａ及び他面Ｂが印刷された用紙Ｐ３を積載する排紙台６とを備えている。
【００２３】
また両面孔版印刷装置１は、給紙台２から第１の孔版印刷手段３及び第１の孔版印刷手段３から貯留部４内部へ用紙Ｐ１、Ｐ２を搬送する第１の搬送部７と、貯留部４内部から第２の孔版印刷手段５及び第２の孔版印刷手段５から排紙台６まで用紙Ｐ２、Ｐ３を搬送する第２の搬送部８とを備えている。
【００２４】
第１の搬送部７は装置ハウジング１０に設けられ、図１に示す如く、給紙台２に積載された用紙Ｐ１の装置ハウジング１０側の上方に設けられた第１ピックアップローラ７１と、第１ピックアップローラ７１によってピックアップされた用紙Ｐ１を所定のタイミングにて第１の孔版印刷手段３に搬送する第１タイミングローラ７２と、第１の孔版印刷手段３により上側に位置する一面Ａが印刷された用紙Ｐ２を、用紙Ｐ２の他面Ｂを湾曲搬送経路に沿って吸引しながら反転させて一面Ａを下側に位置させて貯留部４へ向かって搬送する用紙吸引湾曲搬送手段７３とで概略構成されている。
【００２５】
用紙吸引湾曲搬送手段７３は、図２に示す如く、湾曲搬送経路に沿った湾曲表面７３１ａを有し、この湾曲表面７３１ａにて用紙Ｐ２を案内するガイド板７３１を備えている。ガイド板７３１の湾曲表面７３１ａには用紙Ｐ２の搬送方向（図中矢印Ｅ方向；以下搬送方向Ｅという）に沿って延びる２つの開口７３１ｂが設けられており、ガイド板７３１の両端には横カバー板７３２がそれぞれ取り付けられている。
【００２６】
また用紙吸引湾曲搬送手段７３は、図３に示す如く、ガイド板７３１の裏面側に湾曲表面７３１ａに沿って、すなわち円弧状の湾曲搬送経路に沿って配設された９つのプーリー７３と、この９つのプーリー７３ａの外周に掛け渡され２本の環状の搬送ベルト７３ｂとを備えている。９つのプーリー７３ａは、各々が図２に示すように一端の横カバー板７３２から他端の横カバー板７３２に向かって延びる棒状に形成されており、搬送方向Ｅの最も下流側のプーリー７３ａには図示しないモータが接続されていて、このモータによって最も下流側のプーリー７３ａが回転され、このプーリー７３ａの回転により搬送ベルト７３ｂが循環移動する。他のプーリー７３ａは搬送ベルト７３ｂの循環移動に伴ってつれ回りする。
【００２７】
２つの搬送ベルト７３ｂは、図２に示す如く、各々の全域にわたって表面及び裏面間を貫通した孔７３ｂ’が多数設けられており、一部がガイド板７３１に設けられた開口７３１ｂから外部に露出するように配設されている。そして図３に示す如く、ガイド板７３１の裏面側には裏カバー板７３３が取り付けられ、この裏カバー板７３３とガイド板７３１と横カバー板７３２と搬送ベルト７３ｂとで、搬送ベルト７３ｂの裏面に面した略密閉された空間Ｒが形成されている。なお、搬送ベルト７３ｂの上記ガイド板７３１の開口７３１ｂから外部に露出した部分は、各プーリー７３ａに支持されて用紙の湾曲搬送経路に沿って移動する部分、すなわち湾曲移動部分Ｘであり、この湾曲移動部分Ｘの搬送方向Ｅの最上流位置Ｈが湾曲経路の始点、最下流位置Ｌが湾曲搬送経路の終点である。
【００２８】
また裏カバー板７３３には、吸引開口７３３ａが設けられており、この吸引開口７３３ａには空間Ｒの空気を外部に排出することにより、搬送ベルト７３ｂの孔７３ｂ’に吸引力を発生させるファン７３が取り付けられている。ファン７３ｃは、吸引開口７３３ａと連通する吸引孔７３４ａと空気を排出する排出孔７３４ｂとを有するファンケース７３４内部に配置され、ファンケース７３４は裏カバー板７３３に取り付けられている。
【００２９】
ここで本発明において特徴的なのは、空間Ｒを搬送方向Ｅにおいて２つに区画する区画壁７３５を設けることにより、搬送ベルト７３ｂの裏側に、搬送方向Ｅに２つ、搬送ベルト７３ｂの孔７３ｂに吸引力を発生させる吸引室Ｒ１、Ｒ２を備えたことである。
【００３０】
区画壁７３５は、図３に示す如く、ガイド板７３１における搬送方向Ｅの略中央位置Ｆに、裏カバー板７３３と略垂直に、つまり水平方向延びるように設けられていて、裏カバー板７３３と、両端の横カバー板７３２とにそれぞれその端部が取り付けられている。また区画壁７３５には、搬送ベルト７３ｂが搬送方向Ｅに移動可能なように２つの搬送ベルト７３ｂが挿通する挿通孔７３５ａが設けられている。なお本実施形態においては、区画壁７３５よりも搬送方向Ｅの上流側の吸引室を吸引室Ｒ１、下流側の吸引室を吸引室Ｒ２とする。
【００３１】
本実施形態では、上述したファンケース７３４及びファン７３ｃが区画壁７３５よりも搬送方向Ｅ上流側に１つ設けられているので、このファン７３ｃによって吸引室Ｒ１と吸引室Ｒ２の両方の空気を外部に排出するために、区画壁７３５には吸引室Ｒ１と吸引室Ｒ２とを連通する連通孔７３５ｂが設けられている。
【００３２】
上記のようにして、空間Ｒを吸引室Ｒ１と吸引室Ｒ２に区画することにより、用紙Ｐ２が湾曲表面７３１ａを搬送されているときに、搬送ベルト７３ｂの孔７３ｂ’に用紙Ｐ２が接触していない箇所があっても、用紙Ｐ２が接触していない孔７３ｂ’と連通する吸引室ではエア漏れが多く発生してしまうため吸引力は低下するが、それ以外の吸引室ではエア漏れが発生し難いので、吸引力の低下を防止することができる。これにより、自重が重い用紙やこしの強い用紙等であっても、搬送ベルト７３ｂに十分に吸引することができるので、搬送ベルト７３ｂから用紙Ｐ２が剥がれてしまったり、搬送経路における紙詰まり、用紙Ｐの印刷面と搬送経路の装置部品との接触による画像汚れ等の発生を防ぐことができる。
【００３３】
なお連通孔７３５ｂの開口の大きさを小さくするほど、吸引室Ｒ２からファン７３ｃによって排出される空気の量が少なくなるので、吸引室Ｒ２の吸引力を小さくなり、吸引室Ｒ２よりも吸引室Ｒ１の吸引力を大きくすることができる。
【００３４】
このように搬送方向Ｅ上流側の吸引室Ｒ１の吸引力を強くした場合には、湾曲表面７３１ａにおいて用紙Ｐ２の搬送し始めに、搬送方向Ｅ下流側の吸引室Ｒ２と連通する、つまり図３中Ｆ位置よりも下流側に位置する搬送ベルト７３ｂの孔７３ｂ’に用紙Ｐ２が接触せずにエア漏れが発生しているときであっても、用紙Ｐ２が接触している孔７３ｂ’すなわち搬送方向Ｅ上流側の吸引室Ｒ１と連通する、つまり図３中Ｆ位置よりも上流側に位置する搬送ベルト７３ｂの孔７３ｂ’における吸引力の低下を低減することができる。
【００３５】
第２の搬送部８は同じく装置ハウジング１０に設けられ、図１に示す如く、貯留部４内部から搬出される用紙Ｐ２をピックアップする第２ピックアップローラ８１と、第２ピックアップローラ８１によってピックアップされた用紙Ｐ２を順次所定のタイミングにて第２の孔版印刷手段５に搬送する第２タイミングローラ８２と、第２の孔版印刷手段５により他面Ｂが印刷された、すなわち両面が印刷された用紙Ｐ３を排紙台６に向けて搬出する排出装置８３とで概略構成されている。
【００３６】
排出装置８３は、所定間隔を空けて配置された一対のプーリー８３ａと、一対のプーリー８３ａの外周に掛け渡されそれぞれプーリー８３ａの回転に伴って移動する環状の搬送ベルト８３ｂと、吸引用のファン８３ｃとを備えている。
【００３７】
搬送ベルト８３ｂは、表面に複数の孔８３ｂ’が設けられており、搬送ベルト８３ｂとプーリー８３ａとは、用紙Ｐ側に位置する搬送ベルト８３ｂの少なくとも上記孔８３ｂ’を含む一部のみを外部に露出させて、略密閉されたケース８３ｄ（図示せず）の中に配設されている。
【００３８】
ファン８３ｃは、ケース８３ｄに取り付けられ、８３ｄ内部の空気を外部に排出することにより、搬送ベルト８３ｂの孔８３ｂ’に吸引力を発生させる。
【００３９】
このように構成された排出装置８３は、図示しないモータによってプーリー８３ａを回転させて搬送ベルト８３ｂを移動させると共にファン８３ｃを回転させて孔８３ｂ’に吸引力を発生させることにより、用紙Ｐを吸引しながら搬送する。
【００４０】
第１の孔版印刷手段３は、図１に示す如く、第１ドラム３１と第１プレスローラ３２とからなり、第１ドラム３１の下流側には用紙Ｐ２を剥ぎ取る剥取爪３３が設けられている。第１ドラム３１は内部に図示しない第１インクカートリッジを有し、第１ドラム３１の外周面には入力された画像データに基づいて図示しない製版部により感熱穿孔済の、つまり製版された孔版原紙Ｍ１が巻装されている。そして第１タイミングローラ７２により第１ドラム３１の回転に同期して第１ドラム３１と第１プレスローラ３２との間に送り込まれた用紙Ｐ１の一面Ａすなわち上側に位置する上面Ａが第１プレスローラ３２によって孔版原紙Ｍ１に押し付けられることにより用紙Ｐ１の一面Ａに対して孔版印刷が行われる。
【００４１】
第２の孔版印刷手段５は、上記第１の孔版印刷手段３と同様に、第２ドラム５１と第２プレスローラ５２とからなり、第２ドラム５１の下流側には用紙Ｐ３を剥ぎ取る剥取爪５３が設けられている。第２ドラム５１は内部に図示しない第２インクカートリッジを有し、第２ドラム５１の外周面には製版された孔版原紙Ｍ２が巻装されている。そして一面Ａが印刷され、さらに用紙吸引湾曲搬送手段７３によって反転された後、貯留部４を経て、第２タイミングローラ８２により第２ドラム５１の回転に同期して第２ドラム５１と第２プレスローラ５２との間に送り込まれた用紙Ｐ２の他面Ｂすなわち上側に位置する上面Ｂが第２プレスローラ５２によって孔版原紙Ｍ２に押し付けられることにより用紙Ｐ２の他面Ｂに対して孔版印刷が行われる。
【００４２】
貯留部４は、第１の孔版印刷手段３により一面Ａが印刷された用紙Ｐ２を、第２の孔版印刷手段５で用紙Ｐ２の他面Ｂに印刷を行なう前に複数枚一時的に貯留するものである。
【００４３】
次に以上のように構成された本実施形態の両面孔版印刷装置１の一連の動作について説明する。なお各動作は、装置ハウジング１０に設けられた図示しない制御部からの指示により行われるものとする。
【００４４】
両面孔版印刷装置１は、図１に示す如く、給紙台２に積載された用紙Ｐ１をピックアップローラ７１が順次ピックアップし、ピックアップされた用紙Ｐ１を第１タイミングローラ７２が順次第１の孔版印刷手段３に搬送し、第１の孔版印刷手段３は、搬送された用紙Ｐ１を１枚ずつ、第１プレスローラ３２により第１ドラム３１に押し付けながら第１ドラム３１を１回転させて用紙Ｐ１の上側一面Ａに、第１ドラム３１に巻装された製版済孔版原紙Ｍ１の画像を順次印刷する。
【００４５】
次に用紙吸引湾曲搬送手段７３が、印刷された一面Ａを上面にした用紙Ｐ２を、他面Ｂを吸引しながら円弧状の軌跡に沿って順次搬送することにより、一面Ａが下面となるように反転しつつ貯留部４内に向けて搬送する。そして貯留部４内に搬入された用紙Ｐ２は、貯留部４にて一端貯留された後、第２ピックアップローラ８１によって順次ピックアップされて、ピックアップされた用紙Ｐ２を第２タイミングローラ８２が所定のタイミングにて第２の孔版印刷手段５に順次搬送する。
【００４６】
第２の孔版印刷手段５は、搬送された用紙Ｐ２の上側の面すなわち他面Ｂに、第２ドラム５１に巻装された製版済孔版原紙Ｍ２の画像を順次印刷する。続いて排出装置８３が、印刷された他面Ｂを上面にした用紙Ｐ３を、一面Ａを吸引しながら順次排紙台６に搬送する。このようにして印刷装置１による印刷処理は行われる。
【００４７】
なお本実施形態の用紙吸引湾曲搬送手段７３及び排出装置８３は、上記の構成としたが、例えば搬送ベルト７３ｂ、８３ｂの内側面にファン７３ｃ、８３ｃを取り付けて吸引するようにしてもよいし、用紙Ｐを搬送可能であればどのような構造であってもよい。
【００４８】
また排出装置８３は、一対のプーリー８３ａの外周に掛け渡された搬送ベルト８３ｂ及びファン８３ｃを並列に複数備えて、これらで一枚の用紙を吸引して搬送するようにしてもよい。
【００４９】
また本実施形態では、吸引室Ｒ１、Ｒ２の空気を外部に排出する手段としてファン７３ｃを使用したが、本発明はこれに限られるものではなく、吸引開口７３３ａにダクトを接続して空気を排出するようにしてもよいし、吸引室Ｒ１、Ｒ２の空気を外部に排出可能であれば、いずれの手段を使用してもよい。
【００５０】
また本実施形態の用紙吸引湾曲搬送手段７３は、プーリー７３ａの数を９つとしたが、本発明はこれに限られるものではなく、必要に応じて個数を変更することができる。また本実施形態の用紙吸引湾曲搬送手段７３は、ファン７３ｃ及びファンケース７３４が図３中Ｆ位置よりも上流側の裏カバー板７３３に取り付けられているが、下流側の裏カバー板７３３に吸引開口７３３ａを設けてファン７３ｃ及びファンケース７３４を取り付けてもよい。
【００５１】
次に第２の実施形態の用紙吸引湾曲搬送手段７３−２について、以下図面を参照して詳細に説明する。図４は本実施形態の用紙吸引湾曲搬送手段７３−２のＤ−Ｄ線（図２参照）断面図である。なお図４において、図３の用紙吸引湾曲搬送手段７３と同様の箇所は同符号で示して説明を省略し、異なる箇所についてのみ詳細に説明する。
【００５２】
本実施形態の用紙吸引湾曲搬送手段７３−２は、上述した実施形態（図３）の用紙吸引湾曲搬送手段７３とは、図４に示すように区画壁７３５に連通孔７３５ｂを設けていない点が異なっている。用紙吸引湾曲搬送手段７３−２は、ファン７３ｃ及びファンケース７３４が図３中Ｆ位置よりも上流側の裏カバー板７３３だけではなく、下流側の裏カバー板７３３にも吸引開口７３３ａを設けて取り付けられている。このように各々の吸引室Ｒ１、Ｒ２の空気を個別のファン７３ｃによって排出させてもよい。
【００５３】
なお、図３中Ｆ位置よりも上流側のファン７３ｃを下流側のファン７３ｃよりも径の大きいものにしたり、回転数を挙げることによって、吸引室Ｒ１の吸引力を吸引室Ｒ２よりも強くすることができる。
【００５４】
次に第３の実施形態の用紙吸引湾曲搬送手段７３−３について、以下図面を参照して詳細に説明する。図５は本実施形態の用紙吸引湾曲搬送手段７３−３の拡大斜視図、図６は図５を矢印Ｋから見た裏面拡大斜視図である。なお図６は便宜上、裏カバー板７３３を外した状態を示している。
【００５５】
本実施形態の用紙吸引湾曲搬送手段７３−３は、図５に示す如く、図１の吸引反転装置７３−３の構成にさらに、もう１つ中央搬送ベルト７３ｂ−３を備え、この中央搬送ベルト７３ｂ−３は、２つの搬送ベルト７３ｂの中央に位置している。中央搬送ベルト７３ｂ−３は、表面に複数の孔７３ｂ’−３が設けられており、この孔７３ｂ’−３を含む一部のみが、ガイド板７３１の湾曲表面７３１ａの搬送方向Ｅに沿った２つの開口７３１ｂの間に、この２つの開口７３１ｂと並行にもう１つ設けられた中央開口７３１ｂ−３から外部に露出するように配設されている。
【００５６】
また中央開口７３１ｂ−３及び中央搬送ベルト７３ｂ−３は、両側の開口７３１ｂ及び搬送ベルト７３ｂよりも搬送方向Ｅの上流側の長さが短く形成されており、ガイド板７３１の湾曲表面７３１ａの、中央開口７３１ｂ−３よりも搬送方向Ｅ上流側には搬送方向Ｅに平行に延びる２つの細長い開口部７３１ｄが設けられている。
【００５７】
そして中央搬送ベルト７３ｂ−３は、図６に示す如く、ガイド板７３１の湾曲表面７３１ａの裏側に略密閉された中央下流側ケース７３６の中に収容されている。この中央下流側ケース７３６内部の空間を中央吸引室Ｒ３とし、中央下流側ケース７３６には、上述した実施形態と同様の構成の排出孔７３４ｂを有するファンケース７３４が取り付けられていて、ファンケース７３４内のファン７３ｃ（図示せず）によって中央吸引室Ｒ３の空気が排出される。
【００５８】
また中央下流側ケース７３６の搬送方向Ｅ上流側には、２つの細長い開口部７３１ｄを囲んで略密閉された中央上流側ケース７３７が配設されており、この中央上流側ケース７３７にも上記中央下流側ケース７３６と同様にファンケース７３４及びファン７３ｃ（図示せず）が取り付けられていて、ファンケース７３４内のファン７３ｃ（図示せず）によって中央上流側ケース７３７内部の空間すなわち中央上流吸引室Ｒ４の空気が排出される。
【００５９】
本実施形態では、吸引室Ｒ１及び吸引室Ｒ２の空気の排出は、裏カバー板７３３に取り付けられたダクト支持部７３８の搬送方向Ｅに２つ設けられた挿入孔７３８ａを介して、吸引開口７３３ａに接続されたダクト７３ｃ−３によって行われる。本実施形態では、搬送方向Ｅの上流側の挿入孔７３８ａのみにダクト７３ｃ−３が挿入されている。
【００６０】
なお中央下流側ケース７３６と中央上流側ケース７３７との間には隙間が設けられており、吸引室Ｒ１はこの隙間によって中央下流側ケース７３６と中央上流側ケース７３７の両端側の空間が連通しているので、両端側の空気をダクト７３ｃ−３によって排出することができる。また中央下流側ケース７３６の裏カバー板７３３が取り付けられる側（背面）は、下部が凹んだ形状をしており、中央下流側ケース７３６と裏カバー板７３３との間には隙間が存在しているため、吸引室Ｒ２はこの隙間によって中央下流側ケース７３６の両端側の空間が連通しているので、両端側の空気を挿入孔７３８ａから排出することができる。
【００６１】
本実施形態の用紙吸引湾曲搬送手段７３−３のように、中央に搬送ベルト７３ｂ−３と中央下流吸引室Ｒ３を設け、中央搬送ベルト７３ｂ−３の上流側に２つの長細い開口部７３１ｄと中央上流吸引室Ｒ４を設けることにより、中央搬送ベルト７３ｂ−３の両側の搬送ベルト７３ｂの孔７３ｂ’から僅かながらでもエアが漏れることにより、吸引室Ｒ１、Ｒ２の吸引力が低下してしまうことがあっても、吸引室Ｒ１、Ｒ２の空気を排出するダクト７３ｃ−３とは別の２つのファン７３ｃ（図示せず）によってそれぞれ中央下流吸引室Ｒ３及び中央上流吸引室Ｒ４の空気が排出されるので、吸引効率を低減することなく、用紙Ｐを吸引することができる。
【００６２】
また中央上流側の開口部７３１ｄに搬送ベルト７３ｂを設けないことにより、搬送ベルト７３ｂ及び搬送ベルト７３ｂを移動させるために必要な分のコストを低減することができる。
【００６３】
なお本実施形態では、搬送方向Ｅの上流側の挿入孔７３８ａのみにダクト７３ｃ−３が挿入されているが、本発明はこれに限られるものではなく、ダクト７３ｃ−３は下流側の挿入孔７３８ａに挿入されてもよいし、両方に挿入されてもよい。
【００６４】
また本実施形態では、中央上流側は細長い開口部７３１ｄのみで搬送ベルト７３ｂを設けていないが、中央上流側も中央下流側と同様に搬送ベルト７３ｂ−３を備えた構成としてもよい。
【００６５】
また上述した実施形態の用紙吸引湾曲搬送手段７３、７３−２、７３−３は、搬送方向Ｅに２つ吸引室を設けたが、本発明はこれに限られるものではなく、３つの吸引室を設けてもよいし、適宜変更することができる。
【００６６】
なお上述した実施形態の両面孔版印刷装置１は上記構成としたが、本発明の両面印刷装置はこれに限られるものではなく、例えば装置ハウジング１０の上側に、原稿の画像を読み取るスキャナ部や、スキャナ部で読み取った原稿画像の画像データに基づいて生成された孔版画像データに基づいて孔版原紙を穿孔して製版を行う製版部等を備えていてもよい。
【００６７】
本発明の両面印刷装置は、上記実施形態に限定されるものではなく、本発明の趣旨を逸脱しない範囲において適宜変更可能である。
【符号の説明】
【００６８】
１        両面孔版印刷装置（両面印刷装置）
１０      装置ハウジング
２        給紙台
３        第１の孔版印刷部（印刷手段）
４        貯留部
５        第２の孔版印刷部（印刷手段）
６        排紙台
７        第１の搬送部
７３      用紙吸引湾曲搬送手段（用紙吸引湾曲搬送装置）
７３１    ガイド板
７３１ａ  湾曲面
７３１ｄ  開口部
７３ｂ    搬送ベルト
７３ｂ−２  中央搬送ベルト
７３ｂ’  孔
７３５    区画壁
７３５ｂ  連通孔
７３ｃ    ファン
８        第２の搬送部
Ｒ        空間
Ｒ１、Ｒ２  吸引室
Ｒ３      中央下流吸引室
Ｒ４      中央上流吸引室
Ｐ        用紙
【図１】
2010241512.tif 000003
【図２】
2010241512.tif 000004
【図５】
2010241512.tif 000005
【図６】
2010241512.tif 000006
【図３】
2010241512.tif 000007
【図４】
2010241512.tif 000008
【図７】
2010241512.tif 000009